(57)【要約】【課題】大小２種類の調理ボトルを収容する際の手順に制約がなく使い勝手がよい調理器を提供することにある。【解決手段】駆動部14付きの調理器本体11のボトル載置部13に着脱されるボトルサポート22,32と、このサポートに一端部が連結されたボトル本体23,33と、サポート22,32に回転自在に支持されて、一端に駆動部14の駆動カップリング15に着脱される被動カップリング29,37が取付けられ、他端部にボトル本体内に配置される調理要素30,38を支持する回転軸24,34とを有して、本体11と選択的に組合される調理ボトル21,31を備える。小さいボトル31のボトル本体33はその他端を閉じる閉鎖端壁33aを有する。大きいボトル21は、そのボトル本体23の他端が開口しているとともに、この開口23bを通してボトル31を収容可能な大きさとする。これにより、両ボトル21,31のどちらが調理器本体11と組合わされていても、両ボトル21,31を重ねた状態とできるようにしたことを特徴としている。【選択図】図１
2005073904.tif 000002
【特許請求の範囲】
【請求項１】
ボトル載置部を有し、この載置部に配置される駆動カップリングを有する駆動部が設けられた調理器本体と、
前記ボトル載置部に着脱されるボトルサポート、このサポートに一端部が連結され他端が開口されたボトル本体、及び前記ボトルサポートに回転自在に支持されて、一端に前記駆動カップリングに着脱される被動カップリングが取付けられ、他端部に前記ボトル本体内に配置される調理要素を支持する回転軸を有した第１調理ボトルと、
前記ボトル載置部に着脱されるボトルサポート、このサポートに一端が着脱自在に連結され他端が閉鎖端壁で閉じられたボトル本体、及び前記ボトルサポートに回転自在に支持されて、一端に前記駆動カップリングに着脱される被動カップリングが取付けられ、他端部に前記ボトル本体内に配置される調理要素を支持する回転軸を有した第２調理ボトルとを備え、
前記第１調理ボトル及び前記第２調理ボトルはどちらか１つを選択して前記調理器本体と組合わせて使用されるものであって、
前記第１調理ボトル及び前記第２調理ボトルのどちらかが前記調理器本体と組合わされていても前記第２調理ボトルのボトル本体が前記第１調理ボトル内にこの第１調理ボトルの前記開口を通して収容可能な大きさに形成されていることを特徴とする調理器。
【請求項２】
請求項１に記載の調理器において、前記第１調理ボトルのボトル本体の開口部内周に嵌合する嵌合筒部を有して前記開口を開閉する蓋を備え、前記第２調理ボトルのボトルサポートの外径が、前記嵌合筒部の内径より小さい。
【請求項３】
請求項１に記載の調理器において、前記第１調理ボトルのボトル本体の開口部内周に嵌合する嵌合筒部を有して前記開口を開閉する蓋を備え、前記第１調理ボトルのボトルサポートの外径が、前記嵌合筒部の内径より小さい。
【発明の詳細な説明】
【技術分野】
【０００１】
本発明は、大小二つの調理ボトルの内から選択された調理ボトルを、駆動部が設けられた調理器本体に取付けて使用することができる調理器に関する。
【背景技術】
【０００２】
従来、大小２種類のミル容器を備え、それらの収容の際に置き場所に困ることがないように、大小２種類のミル容器を積み重ねて収容可能できる電動調理機が知られている（特許文献１参照。）。
【特許文献１】特開２０００−２０１８３８号公報（段落００１５−００２５、段落００３５、段落００３７、図１−図４）
【発明の開示】
【発明が解決しようとする課題】
【０００３】
特許文献１の技術では、いずれも一端が閉じた大小２種類のミル容器を使用しているため、大きい方のミル容器を駆動部が内蔵された調理器本体に先にセットしてしまうと、この大きい方のミル容器が邪魔となって小さい方のミル容器を調理器本体にセットすることができない。
【０００４】
つまり、特許文献１の技術では、大小２種類のミル容器の収容に際して、初めに小さい方のミル容器を調理器本体にセットし、次に、大きい方のミル容器を調理器本体にセットしなければ、２種類のミル容器を積み重ねて収容することができない。このように収容手順に制限があるので、誤って大きい方のミル容器をセットした場合には、やり直しの手間が必要となり、使い勝手がよくない。
【０００５】
本発明が解決しようとする課題は、大小２種類の調理ボトルを収容する際の手順に制約がなく使い勝手がよい調理器を提供することにある。
【課題を解決するための手段】
【０００６】
前記課題を解決するために、本発明は、駆動部が設けられた調理器本体のボトル載置部に着脱されるボトルサポート、このサポートに一端部が連結されたボトル本体、及びボトルサポートに回転自在に支持されて、一端に駆動部の駆動カップリングに着脱される被動カップリングが取付けられ、他端部にボトル本体内に配置される調理要素を支持する回転軸を有して、前記調理器本体と選択的に組合わせて使用される大小一対の第１、第２の調理ボトルを備えている。小さい方の第２調理ボトルのボトル本体はその他端を閉じる閉鎖端壁を有する。大きい方の第１調理ボトルは、そのボトル本体の他端が開口しているとともに、この開口を通して第１調理ボトルを収容可能な大きさに形成されている。
【発明の効果】
【０００７】
本発明によれば、大小２種類の調理ボトルを収容する際の手順に制約がなく使い勝手がよい調理器を提供できる。
【発明を実施するための最良の形態】
【０００８】
以下、図１〜図３を参照して本発明の一実施形態を説明する。
【０００９】
図１〜図３中符号1で示した調理器は、調理器本体１１と、第１調理ボトル２１と、第２調理ボトル３１とを具備している。大小一対の調理ボトル２１、３１は調理器本体１１に対して選択的に取付けて使用される。
【００１０】
調理器本体１１は、その本体ケース１２の例えば上面にボトル載置部１３を備えている。ボトル載置部１３はサポート受け１３ａを有している。サポート受け１３ａは、短い円筒状をなしているともに、その外周面に雄ねじ部が形成されている。本体ケース１２には電動モータなどからなる駆動部１４が内蔵されている。駆動部１４の出力軸１４ａは、ボトル載置部１３の底面を上向きに貫通してサポート受け１３ａの中心部に配置されており、この出力軸１４ａの上端には駆動カップリング１５が固定されている。この駆動カップリング１５は駆動部１４によって回転駆動される。なお、図１〜図３中符号１６は、駆動部１４の駆動を制御するために本体ケース１２の外面に設けられた操作部を示している。
【００１１】
大きい方の第１調理ボトル２１は、ミキサーとして調理器１を使用する場合に選択して用いられるものであって、ボトルサポート２２、ボトル本体２３、回転軸２４、及び蓋２５を備えている。
【００１２】
ボトルサポート２２は、硬質合成樹脂の一体成形品であって、サポート受け１３ａより一回り大径の円筒状であり、その高さ方向中間部に仕切り部２２ａを有している。仕切り部２２ａはボトル本体２３の底をなす部材として機能する。仕切り部２２ａを境に下方に位置するボトルサポート２２の下部内面と、上部内面との夫々にはいずれも雌ねじ部が形成されている。ボトルサポート２２の下部内面の雌ねじ部は、サポート受け１３ａの雄ねじ部に着脱自在に螺合することができる。なお、図１〜図３中符号２２ｂは、仕切り部２２ａの周部から下向きに一体に突設されてサポート受け１３ａをその内周側から覆う円筒状のカバー部を示している。
【００１３】
ボトル本体２３は、例えば透明ガラスにより形成されていて、その小径な一端部及びこの一端部より径が大きい他端部が夫々開口された円筒状をなしているとともに、外面に握り部２３ａを有している。このボトル本体２３の小径な端部の外周には雄ねじ部が形成されていて、この小径部はボトルサポート２２に連結されている。この連結は、前記小径部の雄ねじ部をボトルサポート２２の上部内面の雌ねじ部に着脱可能に螺合することにより実現されている。なお、図１〜図３中符号２６は前記小径部の端面と仕切り部２２ａとの間に挟設された防水リングを示している。
【００１４】
ボトル本体２３は、その小径な端部から他端の開口２３ｂに向けて次第に拡径されている。ボトル本体２３の内面は、その小径な端部から開口２３ｂに向けて軸方向に延びるリブ２７が複数一体に設けられている。これらリブ２７の各部の幅はいずれも略同じである。各リブ２７は、ミキサーとして調理器１を使用する場合に、ボトル本体２３内での攪拌を助長させるものであるが、これらリブ２７の開口２３ｂ側の端部は、後述する係合部を支持する受け部２３ｃとして使用される。
【００１５】
回転軸２４は、仕切り部２２ａにこの仕切り部２２ａの中央部に取付けた軸受２８を介して支持されている。回転軸２４の一端は仕切り部２２ａの下側に突出されていて、この一端にはボトルサポート２２の下部内に配置される被動カップリング２９が取付けられている。この被動カップリング２９は、ボトルサポート２２がボトル載置部１３に着脱されるに伴って、駆動カップリング１５に着脱自在に結合されるようになっている。回転軸２４の他端はボトル本体２３内の底部に突出されていて、この他端には調理要素として例えばミキサー用の金属製の刃体３０が固定されている。
【００１６】
蓋２５はボトル本体２３の開口２３ｂに開閉自在に取付けられるる。蓋２５は、その裏面に開口２３ｂ部の内周に挿脱される短い円筒状の嵌合筒部２５ａを有している。この嵌合筒部２５ａの内径は、第１調理ボトル２１のボトルサポート２２及び第２調理ボトル３１の後述するボトルサポート３２の外径より大きい。
【００１７】
小さい方の第２調理ボトル３１は、ミルとして調理器１を使用する場合に選択して用いられるものであって、ボトルサポート３２、ボトル本体３３、及び回転軸３４を備えている。
【００１８】
ボトルサポート３２は、硬質合成樹脂の一体成形品であって、サポート受け１３ａより一回り大径の円筒状であり、その高さ方向上部に仕切り部３２ａを有している。仕切り部３２ａはボトル本体３３の底をなす部材として機能する。仕切り部３２ａを境に下方に位置するボトルサポート３２の下部内面と、上部内面との夫々にはいずれも雌ねじ部が形成されている。ボトルサポート３２の下部内面の雌ねじ部は、サポート受け１３ａの雄ねじ部に着脱自在に螺合することができる。なお、図１〜図３中符号３２ｂは、仕切り部３２ａの周部から下向きに一体に突設されてサポート受け１３ａをその内周側から覆う円筒状のカバー部を示している。
【００１９】
ボトル本体３３は、例えば透明なガラスや硬質合成樹脂により形成されていて、その径が大きい一端部は開口され、この一端部より径が小さい他端が閉鎖端壁３３ａで閉じられた有底円筒状をなしている。このボトル本体３３の開口端部の外周には雄ねじ部が形成されていて、この開口端部はボトルサポート３２に着脱自在に連結されている。この連結は、ボトル本体３３の開口端部の雄ねじ部をボトルサポート３２の上部内面の雌ねじ部に着脱可能に螺合することにより実現されている。なお、図１〜図３中符号３５はボトル本体３３の開口端部の端面と仕切り部３２ａとの間に挟設された防水リングを示している。
【００２０】
回転軸３４は、仕切り部３２ａにこの仕切り部３２ａの中央部に取付けた軸受３６を介して支持されている。回転軸３４の一端は仕切り部３２ａの下側に突出されていて、この一端にはボトルサポート３２の下部内に配置される被動カップリング３７が取付けられている。この被動カップリング３７は、ボトルサポート３２がボトル載置部１３に着脱されるに伴って、駆動カップリング１５に着脱自在に結合されるようになっている。回転軸３４の他端はボトル本体３３内の底部に突出されていて、この他端には調理要素として例えばミル用の金属製の刃体３８が固定されている。
【００２１】
以上の構成の第２調理ボトル３１は、その大部分、具体的には図２及び図３に示すようにボトルサポート３２の被動カップリング３７側の端部３２ｃを除いて、第１調理ボトル２１にその開口２３ｂを通して収納可能な大きさに形成されている。このために、第２調理ボトル３１の最大径をなすボトルサポート３２の外径を、第１調理ボトル２１のボトル本体２３の内径、より具体的には各リブ２７の先端を通って描かれる仮想円（図示しない）の径より小さくしてある。この第２調理ボトル３１の最大径をなすボトルサポート３２のボトル本体３３が着脱される端部は係合部３２ｄとして用いられ、この係合部３２ｄは、第２調理ボトル３１をボトル本体２３に挿脱するに伴ってボトル本体２３の受け部２３ｃに着脱自在に支持されるようになっている。
【００２２】
調理器１をミキサーとして使用する場合には、第１、第２の調理ボトル２１、３１の内から大きい方の第１調理ボトル２１を選択する。そして、この第１調理ボトル２１を調理器本体１１のボトル載置部１３に装着してから、ボトル本体２３内に被調理材料と水等を入れて、ボトル本体２３に蓋２５を被せる。この後に、駆動部１４を動作させて刃体３０を回転駆動すればよい。
【００２３】
調理器１をミルとして使用する場合には、第１、第２の調理ボトル２１、３１の内から小さい方の第２調理ボトル３１を選択する。そして、この第２調理ボトル３１のボトル本体３３内に粉砕すべき被調理材料を収容した後第２調理ボトル３１を組立てた後、この組立てられた第２調理ボトル３１を調理器本体１１のボトル載置部１３に装着する。この後、駆動部１４を動作させて刃体３８を回転駆動すればよい。
【００２４】
使用後に第１、第２の調理ボトル２１，３１を重ねた状態に格納する場合には図２又は図３のいずれの態様とすることができる。
【００２５】
図２は第１調理ボトル２１を優先する格納態様を示している。この場合、まず、調理器本体１１のボトル載置部１３上に第１調理ボトル２１のボトル本体２３を取付ける。次に、組立てられた第２調理ボトル３１を、そのボトル本体３３が下側となる姿勢でボトル本体２３内に収容する。収容された第２調理ボトル３１は、その係合部３２ｄがボトル本体２３の受け部２３ｃに接することによって、ボトル本体２３に支持される。この支持状態では、第２調理ボトル３１のボトルサポート３２の端部３２ｃが、ボトル本体２３の開口２３ｂを貫通して上方に突出している。この突出長さは蓋２５の嵌合筒部２５ａの長さより長い。最後に、ボトルサポート３２の開口２３ｂより突出した端部３２ｃに蓋２５を被せる。この蓋２５の取付けは、ボトルサポート３２の外径が嵌合筒部２５ａの内径より小さいことにより可能である。
【００２６】
図３は第２調理ボトル３１を優先する格納態様を示している。この場合、まず、調理器本体１１のボトル載置部１３上に既に組立てられた第２調理ボトル３１のボトル本体２３を取付ける。次に、第１調理ボトル２１のボトル本体２３を、その開口２３ｂが下を向くように上下逆様に反転させて、このボトル本体２３を、第２調理ボトル３１に被せる。これにより、上向きに取付いている第２調理ボトル３１がボトル本体２３内に収容される。このとき、収容された第２調理ボトル３１の係合部３２ｄと、ボトル本体２３の受け部２３ｃとが接することによって、第２調理ボトル３１にボトル本体２３が支持される。この支持状態では、第２調理ボトル３１のボトルサポート３２の端部３２ｃがボトル本体２３の開口２３ｂより突出している。最後に、ボトル本体２３のボトルサポート２２に蓋２５を被せる。この蓋２５の取付けは、ボトルサポート２２の外径が嵌合筒部２５ａの内径より小さいことにより可能である。図３に示した格納状態では、ボトル本体２３の内面が濡れていた場合、内面の水滴を下方に伝い落とすことが可能である。
【００２７】
以上のように、第１、第２の調理ボトル２１、３１のどちらを調理器本体１１に取付けていても、第１、第２の調理ボトル２１、３１が重ねられることにより、両調理ボトル２１、３１を別々に格納する場合に比較してコンパクトに格納できる。そして、この格納は図２又は図３に示した格納態様のいずれでも良いので、格納する際の手順の制約がなく、使い勝手がよい。又、ミキサーには蓋２５が不可欠であり、この蓋２５を含めて既述の格納態様を得られるので、図２又は図３に示した格納態様を形成するのに蓋２５が邪魔になることがない。
【００２８】
前記一実施形態は以上のように構成したが、これに本発明は制約されない。例えば、ボトル本体２３のリブ２７は省略することができる。又、受け部２３ｃは、ボトル本体２３の開口２３ｂ回りにそれ専用に設けた段部や凸部で形成することが可能であり、又、この受け部２３ｃに支持される第２調理ボトル３１の係合部３２ｄも、それ専用にボトルサポート３２又はボトル本体３３に設けた段部や凸部で形成することが可能である。
【図面の簡単な説明】
【００２９】
【図１】本発明の一実施形態に係る調理器を分解し一部を切欠いて示す側面図。
【図２】図１の調理器を第１の収容態様で一部を切欠いて示す側面図。
【図３】図１の調理器を第２の収容態様で一部を切欠いて示す側面図。
【符号の説明】
【００３０】
１…調理器、１１…調理器本体、１３…ボトル載置部、１４…駆動部、１５…駆動カップリング、２１…第１調理ボトル、２２…第１調理ボトルのボトルサポート、２３…第１調理ボトルのボトル本体、２３ｂ…ボトル本体の開口、２３ｃ…ボトル本体の受け部、２４…第１調理ボトルの回転軸、２５…蓋、２５ａ…嵌合筒部、２９…第１調理ボトルの被動カップリング、３０…第１調理ボトルの刃体（調理要素）、３１…第２調理ボトル、３２…第２調理ボトルのボトルサポート、３２ｄ…第２調理ボトルの係合部、３３…第２調理ボトルのボトル本体、３３ａ…閉鎖端壁、３４…第２調理ボトルの回転軸、３７…第２調理ボトルの被動カップリング、３８…第２調理ボトルの刃体（調理要素）
【図１】
2005073904.tif 000003
【図２】
2005073904.tif 000004
【図３】
2005073904.tif 000005